(57)【要約】【課題】ヒートブリッジ影響が少なく、外部からのガス侵入を抑制した真空断熱材およびこれを用いた冷蔵庫を提供する。【解決手段】繊維状材料からなる芯材と、これを覆う外被材と、を備えた真空断熱材において、前記外被材の一部の内面側に、前記外被材とは別のガス透過抑制部材を設ける。あるいは、前記外被材が、表面保護層、ガスバリヤ層及び熱溶着層を含む多層ラミネートフィルムからなり、前記表面保護層又は前記熱溶着層の表面に、ガスバリヤ剤をコーティングする。そして、このような真空断熱材を冷蔵庫に用いる。【選択図】  図５
2018013198.tif 000002
【特許請求の範囲】
【請求項１】
繊維状材料からなる芯材と、これを覆う外被材と、を備えた真空断熱材において、
前記外被材の一部の内面側に、前記外被材とは別のガス透過抑制部材を設けたことを特徴とする真空断熱材。
【請求項２】
前記外被材が、表面保護層、ガスバリヤ層及び熱溶着層を含む多層ラミネートフィルムからなり、
前記ガス透過抑制部材が、金属箔及び熱溶着層を含む多層ラミネートフィルムからなり、
前記外被材の前記熱溶着層と前記ガス透過抑制部材の前記熱溶着層とを熱溶着したことを特徴とする請求項１に記載の真空断熱材。
【請求項３】
前記ガス透過抑制部材は、全面積のうち一部を前記外被材との熱溶着部とし、
前記熱溶着部の内側に、前記外被材と前記ガス透過抑制部材との間で密閉された非熱溶着部が存在することを特徴とする請求項１の真空断熱材。
【請求項４】
前記非溶着部に水分吸着剤、ガス吸着剤のいずれか又は両方の機能を有する吸着剤を配置したことを特徴とする請求項３の真空断熱材。
【請求項５】
前記ガス透過抑制部材の前記熱溶着層は、その全面積が、前記外被材の前記熱溶着層と熱溶着されていることを特徴とする請求項２の断熱材。
【請求項６】
繊維状材料からなる芯材と、これを覆う外被材と、を備えた真空断熱材において、
前記外被材が、表面保護層、ガスバリヤ層及び熱溶着層を含む多層ラミネートフィルムからなり、
前記表面保護層又は前記熱溶着層の表面に、ガスバリヤ剤をコーティングしたことを特徴とする真空断熱材。
【請求項７】
請求項１乃至６のいずれかに記載の真空断熱材を用いた冷蔵庫。
【請求項８】
請求項７において、内箱外面に前記真空断熱材が直接配置され、前記内箱外面と前記真空断熱材との接触面部分について、前記外被材とは別の前記ガス透過抑制部材を配置するか、前記外被材の前記表面保護層又は前記熱溶着層の表面に、ガスバリヤ剤をコーティングしたことを特徴とする冷蔵庫。
【発明の詳細な説明】
【技術分野】
【０００１】
本発明は、真空断熱材とそれを用いた冷蔵庫に関するものである。
【背景技術】
【０００２】
地球環境の保護を目的に、様々な分野の製品や機器の省エネルギー化が進められている。例えば一般家庭において年間の電力消費量が大きいと言われている冷蔵庫においては、インバータ化等による電気系や制御系の改良に加え、熱(冷気)を逃がさないための筐体の断熱性能改善が行われている。
【０００３】
冷蔵庫の従来例としては特許文献１に示されるように、真空断熱材の表面側と裏面側で異なるフィルムを組み合わせた外被材を採用したものがある。例えば表面側のフィルムにアルミ箔を含む構成を、裏面側のフィルムにはアルミ蒸着層を含む構成としたものである。この特許文献１では冷媒パイプ上に真空断熱材を配置した例が示されているが、冷媒パイプの高温影響によってフィルムからのガス浸入が増加しないよう、高温部側にアルミ箔を含むフィルムを配置したものである。
【０００４】
また、特許文献２に示されるように、真空断熱材の外被材を二重にして、外部からのガス浸入を抑制した例もある。
【０００５】
また、特許文献３に示されるように、真空断熱材特有の外被材を熱が伝わって回り込む、所謂ヒートブリッジを抑制するために、袋状の外被材フィルムの熱溶着部周辺部に金属蒸着層を設けず、無機系蒸着層をも配置した例がある。
【０００６】
また、特許文献４に示されるように、真空断熱材の外被材を構成するアルミ箔を含んだフィルムから、アルミ箔をループ状に抜いて、ヒートブリッジを抑制した例がある。
【先行技術文献】
【特許文献】
【０００７】
【特許文献１】特許３５４４６５３号公報
【特許文献２】特開平８−８６３９４号公報
【特許文献３】特開２０１２−２１９９５６号公報
【特許文献４】特許５５１７１５０号公報
【発明の概要】
【発明が解決しようとする課題】
【０００８】
特許文献１の従来例では高温側に配置する真空断熱材の外被材をアルミ箔を含む構成としたことで、高温雰囲気下でガス透過量が増加するのを抑制しているが、熱伝導の良いアルミ箔の影響で熱が回り込む所謂ヒートブリッジの影響に対する考えが不足している。
【０００９】
また、特許文献２の従来例については、外袋を二重にすることでガスの透過は十分に抑制できると考えられるが、ヒートブリッジの影響やコストに関しての考えが不足している。
【００１０】
また、特許文献３の従来例については、熱溶着部付近の金属蒸着層を除去して非金属蒸着をすることで外被材のヒートブリッジ影響の抑制とガスバリヤ性を両立しているものの、無機系蒸着部の耐クラック性や加工コストに問題があると考えられ。
【００１１】
また、特許文献４の従来例については、外被材に含まれる金属箔の一部をループ状に抜くことで、ヒートブリッジ影響を軽減するものである。しかしながら、金属箔の熱伝導量は大きく、ヒートブリッジ影響を抑制しきれていないという問題がある。
【００１２】
そこで本発明は、ヒートブリッジ影響が少なく、外部からのガス侵入を抑制した真空断熱材およびこれを用いた冷蔵庫を提供するものである。
【課題を解決するための手段】
【００１３】
上記課題を解決するため本発明は、繊維状材料からなる芯材と、これを覆う外被材と、を備えた真空断熱材において、前記外被材の一部の内面側に、前記外被材とは別のガス透過抑制部材を設けたことを特徴とする。あるいは、繊維状材料からなる芯材と、これを覆う外被材と、を備えた真空断熱材において、前記外被材が、表面保護層、ガスバリヤ層及び熱溶着層を含む多層ラミネートフィルムからなり、前記表面保護層又は前記熱溶着層の表面に、ガスバリヤ剤をコーティングしたことを特徴とする。そして、このような真空断熱材を冷蔵庫に用いることを特徴とする。
【発明の効果】
【００１４】
本発明によれば、真空断熱材の一部が例えば高温部分や高湿部分に面して配置されるような、部分的にガス透過しやすい環境に晒される場合でも、外被材全体のガス透過を抑制する必要がなく、晒された部分およびその周囲だけのガス透過抑制が可能であり、簡単な加工で比較的安価に対応することができる。また、上記以外の環境で使用する場合、ガス透過抑制部材を施した部分については、ガスバリヤフィルムが二重になっていることから、仮に外側のフィルムに傷がついても、真空が解除されることなく断熱性能の維持が可能である。本発明では、上記の真空断熱材およびこれを用いた冷蔵庫の他、真空断熱材を活用した様々な機器を提供することができる。上記した以外の課題、構成及び効果は、以下の実施形態の説明により明らかにされる。
【図面の簡単な説明】
【００１５】
【図１】本発明の実施形態における冷蔵庫の正面図である。
【図２】本発明の実施形態における冷蔵庫の縦断面図(図１のＡ−Ａ断面)である。
【図３】本発明の実施形態における冷蔵庫の庫内野視図(図２のＢ−Ｂ野視)である。
【図４】従来の真空断熱材説明図である。
【図５】実施例１の真空断熱材を示す図である。
【図６】実施例１のガス透過抑制部材の断面図(図５のＤ部拡大図)である。
【図７】実施例１の冷蔵庫の図２のＣ部拡大説明図である。
【図８】実施例１のガス透過抑制部材のサイズ例を示す図である。
【図９】実施例２と３の冷蔵庫の真空断熱材を示す図である。
【発明を実施するための形態】
【００１６】
本発明の実施形態に係る真空断熱材を備えた冷蔵庫について、図面を参照しながら以下詳細に説明する。本発明の第１の実施形態については図１〜図８を用いて、第２の実施形態については図９を用いてそれぞれ説明する。
【００１７】
（実施例１）
図１は本発明の実施例１に係る真空断熱材を備えた冷蔵庫の外観を示す正面図である。図２は実施例１に係る真空断熱材を備えた冷蔵庫の縦断面図であり、図１のＡ−Ａ線の切断図である。図３は実施例１に係る真空断熱材を備えた冷蔵庫のＢ−Ｂ野視図である。
【００１８】
図１に示す実施例１を備えた冷蔵庫１は、図２に示すように、上から冷蔵室２、貯氷室３ａと上段冷凍室３ｂ、冷凍室４、野菜室５を有している。図１の符号は、上記各室の前面開口部を閉塞する扉であり、上からヒンジ１０等を中心に回動する冷蔵室扉６ａ、６ｂ、冷蔵室扉６ａ、６ｂ以外は全て引き出し式の扉であり、貯氷室扉７ａと上段冷凍室扉７ｂ、下段冷凍室扉８、野菜室扉９を配置する。これらの引き出し式扉７〜９は扉を引き出すと、各室を構成する容器が扉と共に引き出されてくる。各扉６〜９には冷蔵庫本体１とを密閉するためのパッキン１１を備え、各扉６〜９の室内側外周縁に取り付けられている。本実施例１では、各扉６〜９の表面材として強化処理をしたガラスを用いたが、これに限定することではなく、従来の鋼板等でも良い。尚、冷蔵室扉６ａの冷蔵室扉６ｂ側には冷蔵室扉６ｂのパッキン１１の受面となる回転仕切り６ｃが設置されている。
【００１９】
また、冷蔵室２と製氷室３ａ及び上段冷凍室３ｂとの間を区画断熱するために仕切断熱壁１２を配置している。この仕切断熱壁１２は厚さ３０〜５０ｍｍ程度の断熱壁で、スチロフォーム、発泡断熱材（ウレタンフォーム）、真空断熱材等、それぞれを単独使用又は複数の断熱材を組み合わせて作られている。製氷室３ａ及び上段冷凍室３ｂと下段冷凍室４の間は、温度帯が同じであるため区画断熱する仕切り断熱壁ではなく、パッキン１１受面を形成した仕切り部材１３を設けている。下段冷凍室４と野菜室５の間には区画断熱するための仕切断熱壁１４を設けており、仕切断熱壁１２と同様に３０〜５０mm程度の断熱壁で、これまたスチロフォーム、或いは発泡断熱材（ウレタンフォーム）、真空断熱材５０等で作られている。基本的に冷蔵、冷凍等の貯蔵温度帯の異なる部屋の仕切りには仕切断熱壁を設置している。
【００２０】
尚、箱体２０内には上から冷蔵室２、製氷室３ａ及び上段冷凍室３ｂ、下段冷凍室４、野菜室５の貯蔵室をそれぞれ区画形成しているが、各貯蔵室の配置については特にこれに限定するものではない。また、冷蔵室扉６ａ、６ｂ、製氷室扉７ａ、上段冷凍室扉７ｂ、下段冷凍室扉８、野菜室扉９に関しても回転による開閉、引出しによる開閉及び扉の分割数等、特に限定するものではない。
【００２１】
箱体２０は、外箱２１と内箱２２とを備え、外箱２１と内箱２２とによって形成される空間に断熱部を設けて箱体２０内の各貯蔵室と外部とを断熱している。この外箱２１側または前記内箱２２側のいずれかに真空断熱材５０又は１５０を配置し、真空断熱材５０及び１５０以外の空間には硬質ウレタンフォーム等の発泡断熱材２３を充填してある。真空断熱材５０及び１５０の説明については後述する。
【００２２】
また、冷蔵庫の冷蔵室２、冷凍室３ａ、４、野菜室５等の各室を所定の温度に冷却するために冷凍室３ａ、４の背側には冷却器２８が備えられており、この冷却器２８と圧縮機３０と凝縮機３１、図示しないキャピラリーチューブとを接続し、冷凍サイクルを構成している。冷却器２８の上方にはこの冷却器２８にて冷却された冷気を冷蔵庫内に循環して所定の低温温度を保持する送風機２７が配設されている。
【００２３】
また、冷蔵庫の冷蔵室２と製氷室３ａ及び上段冷凍室３ｂ、冷凍室４と野菜室５を区画する断熱材として、それぞれ断熱仕切り１２、１４を配置し、発泡ポリスチレン３３と真空断熱材５０で構成されている。この断熱仕切り１２、１４については硬質ウレタンフォーム等の発泡断熱材２３を充填しても良く、特に発泡ポリスチレン３３と真空断熱材５０に限定するものではない。
【００２４】
また、前記内箱２２の天面の一部に、断熱材２３側に突き出したケース４５ａを有する庫内灯４５を配置し、冷蔵庫の扉を開けたときの庫内を明るく、見えやすくしたものである。庫内灯４５については、ＬＥＤ、電球、蛍光灯、キセノンランプ等、光源を特に限定するものではない。庫内灯４５の配置により、ケース４５ａと外箱２１との間の断熱材２３の厚さが薄くなるため真空断熱材５０を配置して断熱性能を確保している。この庫内灯４５については特に図示位置に配置することを規定したものではない。
【００２５】
また、箱体２０の天面後方部には冷蔵庫１の運転を制御するための基板や電源基板等の電気部品４１を収納するための凹部４０が形成されており、電気部品４１を覆うカバー４２が設けられている。カバー４２の高さは外観意匠性と内容積確保を考慮して、外箱２１の天面とほぼ同じ高さになるように配置している。特に限定するものではないが、カバー４２の高さが外箱の天面よりも突き出る場合は１０ｍｍ以内の範囲に収めることが望ましい。これに伴って、凹部４０は断熱材２３側に電気部品４１を収納する空間だけ窪んだ状態で配置されるため、断熱厚さを確保するには庫内容積が犠牲になってしまう。内容積をより大きくとると凹部４０と内箱２２間の断熱材２３の厚さが薄くなってしまうため、本実施形態においては凹部４０の裏面に真空断熱材５０を配置して断熱性能を確保している。実施例１では、真空断熱材５０を前述の庫内灯４５のケース４５ａと電気部品４１に跨るように略Ｚ形状に成形した１枚の真空断熱材５０とした。尚、前記カバー４２は外部からのもらい火や何らかの原因で発火した場合等を考慮し鋼板製としている。
【００２６】
また、箱体２０の背面下部に配置された圧縮機３０や凝縮機３１は発熱の大きい部品であるため、庫内への熱侵入を防止するため、内箱２２側への投影面に真空断熱材１５０を配置している。
【００２７】
ここで、実施例１における真空断熱材５０及び１５０の配置について図２と図３で説明する。本発明における実施例１の形態では図２に示すよう、冷蔵庫１の庫内容積を拡大する目的で、図中Ｃ部に示すように冷蔵室２の庫内背面部の内箱２２を一部断熱材側に凹ませた構造としている。この部分の断熱材壁構造は、通常「内箱２２／発泡断熱材２３／真空断熱材５０／外箱２１」であるが、実施例１では「内箱２２／真空断熱材１５０／外箱２１」とし、発泡断熱材２３を排除したものである。
【００２８】
また、野菜室５の底面部の内箱２２外面(断熱材２３側)にも真空断熱材１５０を配置している。天井部は前述の通り真空断熱材５０を、両側面部については外箱２３の内面に、冷蔵室２と冷凍室３ａ、３ｂ、４及び野菜室５に跨って真空断熱材５０が配置し、冷蔵室扉６ａ、６ｂ、冷凍室扉８、野菜室扉９についても外箱２２(本実施例ではガラス板)内面に真空断熱材５０を配置している。その他、各仕切り断熱１２と１４にも真空断熱材５０を配置している。尚、真空断熱材５０、１５０の配置や使用数については特に限定するものではない。
【００２９】
ここで、真空断熱材５０と１５０について図４〜図６を用いて説明する。図４は従来の真空断熱材５０を示したものであり、芯材５１と該芯材５１を一時的に圧縮状態に保持するための内包材５２、前記内包材５２で圧縮状態に保持した芯材５１を被覆するガスバリヤ層を有する外被材５３及び吸着剤５４とから構成してある。該外被材５３は前記真空断熱材５０の両面に配置され、同じ大きさのラミネートフィルムを向い合せ、各辺の端部から一定の幅部分を熱溶着した袋状で構成されている。なお、実施例１において、前記芯材５１についてはバインダー等で接着や結着していない無機繊維の積層体として平均繊維径４μｍのグラスウールを用いた。
【００３０】
前記芯材５１については、無機系繊維材料の積層体を使用することによりアウトガスが少なくなるため、断熱性能的に有利であるが、特にこれに限定するものではなく、例えば無機系繊維を加熱成形したものやバインダ成形したもの、或いはセラミック繊維やロックウール、グラスウール以外のガラス繊維等の無機繊維、及び有機繊維を用いてもよく、特に限定するものではない。前記芯材５１の種類によっては内包材５２は使用しない場合もあるため、これについても特に限定するものではない。
【００３１】
外被材５３のラミネート構成についてはガスバリヤ性を有し、熱溶着可能であれば特に限定するものではないが、実施例１では、表面層、第一のガスバリヤ層、第二のガスバリヤ層、熱溶着層の４層構成からなるラミネートフィルムとし、表面層は吸湿性の低い樹脂フィルム、第一のガスバリヤ層は金属蒸着層を設けた樹脂フィルム、第二のガスバリヤ層は酸素バリヤ性の高い樹脂フィルムに金属蒸着層を設け、第一と第二のガスバリヤ層については金属蒸着層同士が向かい合うように貼り合わせている。熱溶着層については表面層と同様に吸湿性の低いフィルムを用いた。具体的には、表面層を二軸延伸ポリプロピレン、第一のガスバリヤ層をアルミニウム蒸着付きのポリエチレンテレフタレート、第二のガスバリヤ層をアルミニウム蒸着付きの二軸延伸エチレンビニルアルコール共重合体樹脂フィルムとし、熱溶着層を直鎖状低密度ポリエチレンフィルムとした。外被材５３については特にこの構成に限定するものではない。
【００３２】
表面層はポリアミド(ナイロン)やポリエチレンテレフタレート等でもよく、第一及び第二のガスバリヤ層についても金属箔や樹脂系フィルムに無機層状化合物や樹脂系ガスバリヤコート材等のガスバリヤ膜を設けたものでもよい。熱溶着層には例えば酸素バリヤ性の高いポリブチレンテレフタレートフィルムや、汎用性の高いポリプロピレンフィルム、高密度、中密度、低密度等のポリエチレンフィルムを用いても良い。
【００３３】
また、真空断熱材５０のそれぞれの外箱側と内箱側の面でフィルム構成が違っていてもよい。例えば、第二のガスバリヤ層として、一方の面がアルミ蒸着フィルム、別の面がアルミ箔という組み合わせであっても何ら問題ない。尚、各層は二液硬化型ウレタン接着剤を介してドライラミネート法によって貼り合わせられるが、接着剤、貼り合わせ方法には特にこれに限定するものではない。
【００３４】
表面層と熱溶着層に吸湿性の低い樹脂を配置する目的は、酸素バリヤ性の高い上記のガスバリヤ層フィルムは吸湿によりガスバリヤ性が悪化するため、表面層と熱溶着層で挟むことで、ラミネートフィルム全体の吸湿量を抑制するものである。これにより、真空断熱材５０の真空排気工程においても、外被材５３が持ち込む水分量が小さいため、真空排気効率が大幅に向上し、高性能化につながっている。
【００３５】
また、内包材５２については実施例１では熱溶着可能なポリエチレンフィルム、吸着剤５４については物理吸着タイプの合成ゼオライトを用いたが、いずれもこれらの材料に限定するものではない。内包材５２についてはポリプロピレンフィルム、ポリエチレンテレフタレートフィルム、ポリブチレンテレフタレートフィルム等、吸湿性が低く熱溶着でき、アウトガスが少ないものであれば良く、吸着剤５４については水分やガスを吸着するもので、物理吸着、化学反応型吸着のどちらでも良い。
【００３６】
一方、図５に示す実施例１の真空断熱材１５０の構成は、基本的には図４の真空断熱材５０と同じ構成であるが、外被材５３の内面の一部に、ガス透過抑制部材１５３を配置したものである。ガス透過抑制部材１５３については、本実施例１では表面層とガスバリヤ層及び熱溶着層からなるラミネートフィルムを用いた。具体的には図６に示す図５のＤ部拡大図のように、表面層１５３ａはポロプロピレンフィルム又はポリアミドフィルム、第１のガスバリヤ層１５３ｂとしてアルミ蒸着を施したポリエチレンテレフタレート、第２のガスバリヤ層１５３ｃにアルミ箔を、熱溶着層１５３ｄについては直鎖状低密度ポリエチレンフィルムとした。ガス透過抑制部材１５３については基本的に外被材５３と同等以上のガス透過量のフィルムであればよく、層数や材質については特に限定するものではない。本実施例１ではガス透過抑制部材１５３の熱溶着層１５３ｄと外被材５３の熱溶着層５３ｄを同じ材質のフィルムとし、向い合せて熱溶着した。
【００３７】
熱溶着については図８(ａ)の如くガス透過抑制部材１５３の全面積を溶着した溶着部１５５とするか、図８(ｂ)のようにガス透過抑制部材１５３の外形線から内側に一定の幅を有した熱溶着部１５６としても良い。但し、図８(ｂ)の場合、周囲は連続した熱溶着部１５６とし、その内側は、外被材５３とガス透過抑制部材１５３の間に、非溶着部として密閉部１５７を設けるものとする。
【００３８】
尚、ガス透過抑制部材１５３のサイズについては特に限定するものではないが、本実施例１では図７に示す図２のＣ部拡大図のように、内箱２２と真空断熱材１５３が直接接着剤５５により接着されている面積Ｓ１よりも大きい面積Ｓ２に設定した。これは、樹脂材で構成された内箱２２側からのガス侵入が、その他の発泡断熱材２３を介して配置した場合よりも大きいと考えられることから、このサイズ(面積Ｓ２)に設定したものである。
【００３９】
以上の構成からなる実施例１における真空断熱材５０、１５０は芯材５１の厚さを１０〜２０ｍｍ(配置部位によって異なる)、芯材５１の密度を約２３０(ｋｇ／ｍ３)に設定したものを使用した。ガス透過抑制部材１５３を設置した真空断熱材１５０については前述の通り冷蔵庫１の背面部と底面部に配置した。ガス透過抑制部材１５３を採用した真空断熱材１５０を組み込んだ冷蔵庫を加速試験後(加速温度で一定期間経過後)の箱体熱漏洩量は初期値を１００とした場合、１０３であった。
【００４０】
（比較例１）
実施例１において、全て通常の真空断熱材５０を組み込んだ冷蔵庫の箱体熱漏洩量は初期値１００に対して１０６であった。
【００４１】
（実施例２）
実施例２の冷蔵庫は、実施例１の真空断熱材１５０の代わりに図９に示す真空断熱材２５０を適用したものである。真空断熱材２５０は実施例１の真空断熱材１５０に対して、外被材５３の内面とガス透過抑制部材１５３の間に水分吸着剤、ガス吸着剤のいずれか又は両方の吸着剤２５３を配置した。具体的には吸着剤２５３として、酸化カルシウムや合成ゼオライトを練りこんだ樹脂フィルムを配置した。吸着剤２５３については水分やガスを吸着するものであれば特に限定するものではない。実施例２では吸着剤２５３として酸化カルシウムを練りこんだものとした。以上の構成からなる実施例２の冷蔵庫の加速試験後の箱体熱漏洩量は初期値１００に対して１０２であった。
【００４２】
（実施例３）
実施例３の冷蔵庫は、実施例２の真空断熱材２５０の吸着剤２５３を疎水性の合成ゼオライトとした以外は実施例２と同じである。以上の構成からなる実施例３の冷蔵庫の加速試験後の箱体熱漏洩量は初期値１００に対して１０３であった。吸着剤２５３に疎水性ゼオライトを用いた実施例３の真空断熱材２５０については、図示しない給湯機器の貯湯タンクの断熱材として試験的に使用したところ、従来の真空断熱材５０を使用した場合よりも断熱性能の悪化量が少なかったことから、使用温度帯の高い製品に有効であると考える。
【００４３】
本実施例１〜３に用いた真空断熱材１５０、２５０はガス透過抑制部材１５３を熱溶着により配置することで、真空断熱材１５０、２５０のハンドリング時の擦れ、ぶつけ等による傷付きによる破袋の防止作用もある。仮にガス透過抑制部材１５３の投影面にあたる外被材５３に穴が開いた場合でも、ガス透過抑制部材１５３があるためリーク不良には至らない。本実施例１〜３の真空断熱材１５０、２５０については冷蔵庫以外にも自動販売機、給湯機器等、断熱を必要とする製品分野での活用が期待できる。また、外被材５３とは別のガス透過抑制部材を設ける代わりに、外被材５３そのものの表面保護層や熱溶着層の表面に、ガスバリヤ剤をコーティングしても、同様の効果が期待できる。
【符号の説明】
【００４４】
１          冷蔵庫            ２        冷蔵室        ３ａ        貯氷室
３ｂ        上段冷凍室        ４        下段冷凍室    ５          野菜室
６ａ        冷蔵室扉          ６ｂ      冷蔵室扉
７ａ        貯氷室扉          ７ｂ      上段冷凍室扉
８          下段冷凍室扉      ９        野菜室扉
１０        扉用ヒンジ        １１      パッキン
１２，１４  断熱仕切り        １３      仕切り部材
２０        箱体              ２１      外箱          ２２        内箱
２３        発泡断熱材        ２７      送風機        ２８        冷却器
３０        圧縮機            ３１      凝縮機
３３        発泡ポリスチレン  ４０      凹部
４１        電気部品          ４２      カバー        ４５        庫内灯
４５ａ      ケース
５０        真空断熱材        ５１        芯材        ５２        内袋
５３        外被材            ５３ａ      表面層
５３ｂ      第１のガスバリヤ層５３ｃ      第２のガスバリヤ層
５３ｄ      熱溶着層          ５４        吸着剤
１５０      真空断熱材        １５３      ガス透過抑制部材
１５３ａ    表面層            １５３ｂ    第１のガスバリヤ層
１５３ｃ    第２のガスバリヤ層１５３ｄ    熱溶着層
１５５      熱溶着部          １５６      熱溶着部    １５７      密閉部
２５０      真空断熱材        ２５３      吸着剤
【図１】
2018013198.tif 000003
【図２】
2018013198.tif 000004
【図３】
2018013198.tif 000005
【図４】
2018013198.tif 000006
【図５】
2018013198.tif 000007
【図６】
2018013198.tif 000008
【図７】
2018013198.tif 000009
【図８】
2018013198.tif 000010
【図９】
2018013198.tif 000011